(57)【要約】【課題】意匠性を高めるとともに、組立作業性および修理作業性を高めることが可能なフロント筐体固定構造を提供することを目的とする。【解決手段】フロント筐体構造は、液晶パネル４と、被係合部である係合片１ｄを有しかつ液晶パネル４の周縁部を覆うフロント筐体１と、液晶パネル４の背面を覆うバックカバー３と、フロント筐体１の係合片１ｄと係合可能な係合部２ｄを有しかつ係合部２ｄと係合片１ｄが係合した状態で、フロント筐体１とで液晶パネル４を挟み込んで固定する固定部材２とを備えている。【選択図】図１
2014228672.tif 000002
【特許請求の範囲】
【請求項１】
液晶パネルと、
被係合部を有し、かつ、前記液晶パネルの周縁部を覆うフロント筐体と、
前記液晶パネルの背面を覆うバックカバーと、
前記フロント筐体の前記被係合部と係合可能な係合部を有し、かつ、前記係合部と前記被係合部が係合した状態で、前記フロント筐体とで前記液晶パネルを挟み込んで固定する固定部材と、
を備えた、フロント筐体固定構造。
【請求項２】
前記フロント筐体は、開口を有する枠状に形成され、かつ、外周部から前記開口側へ突出する係合片と、前記開口の周囲にある開口縁部において少なくとも前記係合片の周辺領域に形成されたガイド部とを備え、
前記固定部材は、前記フロント筐体の前記ガイド部に沿ってスライド可能に構成され、
前記固定部材の前記係合部は、前記固定部材のスライド方向と平行に開口され、かつ、前記係合片と係合可能に形成された、請求項１記載のフロント筐体固定構造。
【請求項３】
前記フロント筐体は、開口を有する枠状に形成され、かつ、外周部から前記開口側へ突出する係合片を備え、
前記固定部材は、前記フロント筐体の前記開口の周囲にある開口縁部に配置可能に構成され、
前記固定部材の前記係合部は、前記係合片と係合可能な係合穴と、前記係合穴の周縁部において前記係合片の基端側に設けられ、かつ、弾性変形可能に形成された係合保持部とを備え、
前記固定部材が前記フロント筐体の前記開口縁部に配置された状態で、前記係合保持部の弾性復元力を用いて前記係合片と前記係合穴との係合状態が保持された、請求項１記載のフロント筐体固定構造。
【請求項４】
前記係合保持部は、前記係合保持部の弾性変形方向とは反対方向への変形を促進する変形促進部を備えた、請求項３記載のフロント筐体固定構造。
【請求項５】
前記フロント筐体は、前記開口縁部において少なくとも前記係合片の周辺領域に形成されたガイド部を備え、
前記固定部材は、前記係合保持部の弾性復元力に抗して前記フロント筐体の前記ガイド部に沿ってスライド可能に構成された、請求項４記載のフロント筐体固定構造。
【請求項６】
前記液晶パネルと前記バックカバーとを固定するためのネジをさらに備えた、請求項１〜５のいずれか１つに記載のフロント筐体固定構造。
【発明の詳細な説明】
【技術分野】
【０００１】
本発明は、液晶表示装置などに採用されるフロントベゼルなどの意匠筐体の固定構造に関するものである。
【背景技術】
【０００２】
従来のフロント筐体の固定構造においては、液晶パネルの周縁部を覆うフロント筐体と、液晶パネルの背面を覆うバックカバーとを直接ネジ止めしたり、フロント筐体とバックカバーとをツメ嵌合したりすることで、製品全体の正面視および側面視における意匠性の確保および意匠性の向上を図るとともに、製品の剛性を高めている。ここで意匠性とは、フロント筐体の反り、バックカバーに対するフロント筐体の浮き、およびフロント筐体とバックカバーとのギャップの少なさを指すものとする。
【０００３】
製品の意匠性を高めるとともに、より強固な剛性を確保するために、それぞれ任意の間隔をあけて複数のネジ、複数の嵌合リブまたは複数の嵌合爪形状を設けることが一般的である。このようなフロント筐体固定構造が、例えば特許文献１に開示されている。
【先行技術文献】
【特許文献】
【０００４】
【特許文献１】特開２００８−２５８７５０号公報
【発明の概要】
【発明が解決しようとする課題】
【０００５】
従来のフロント筐体固定構造においては、フロント筐体の反り、バックカバーに対するフロント筐体の浮きおよびフロント筐体とバックカバーとのギャップを抑え、かつ、製品全体の剛性を高めることが重要であるため、ネジ固定を用いた固定構造の場合は多数のネジを必要とし、組立作業性および修理作業性を高めることは難しいという問題があった。
【０００６】
また、ツメ嵌合を用いた固定構造の場合、組立作業性および修理作業性を高めるために嵌合を緩くすると、ユーザでも取り外しが容易となり、一方、ユーザによる取り外しが困難となるように嵌合をきつくすると、組立作業性および修理作業性が低下するという問題があった。
【０００７】
そこで、本発明は、意匠性を高めるとともに、組立作業性および修理作業性を高めることが可能なフロント筐体固定構造を提供することを目的とする。
【課題を解決するための手段】
【０００８】
本発明に係るフロント筐体固定構造は、液晶パネルと、被係合部を有し、かつ、前記液晶パネルの周縁部を覆うフロント筐体と、前記液晶パネルの背面を覆うバックカバーと、前記フロント筐体の前記被係合部と係合可能な係合部を有し、かつ、前記係合部と前記被係合部が係合した状態で、前記フロント筐体とで前記液晶パネルを挟み込んで固定する固定部材とを備えたものである。
【発明の効果】
【０００９】
本発明によれば、係合部と被係合部が係合した状態で、固定部材とフロント筐体とで液晶パネルを挟み込んで固定するため、固定部材を介してフロント筐体は液晶パネル側に引き寄せられる。このため、フロント筐体の反り、バックカバーに対するフロント筐体の浮きおよびフロント筐体とバックカバーとのギャップなどを抑制することができ、製品の意匠性を高めることが可能となる。また、固定部材とフロント筐体とで液晶パネルを挟み込むことで、従来の固定構造よりも少ない固定箇所で強固に固定できるため、組立作業性および修理作業性を高めることが可能となる。
【図面の簡単な説明】
【００１０】
【図１】実施の形態１に係るフロント筐体固定構造の分解斜視図である。
【図２】固定部材の斜視図である。
【図３】（ａ）フロント筐体の係合片に対する固定部材の取り付け方法において取り付け前の状態を示す説明図である。（ｂ）フロント筐体の係合片に対する固定部材の取り付け方法において取り付け後の状態を示す説明図である。
【図４】バックカバーが取り外された状態でのフロント筐体固定構造の斜視図である。
【図５】フロント筐体固定構造の断面図である。
【図６】フロント筐体固定構造の斜視図である。
【図７】実施の形態１の変形例に係るフロント筐体固定構造の断面図である。
【図８】実施の形態２に係るフロント筐体固定構造の固定部材の斜視図である。
【図９】固定部材の断面図である。
【図１０】フロント筐体の係合片に対する固定部材の取り付け方法において取り付け前の状態を示す説明図である。（ｂ）フロント筐体の係合片に対する固定部材の取り付け方法において取り付け後の状態を示す説明図である。
【図１１】フロント筐体固定構造の断面図である。
【発明を実施するための形態】
【００１１】
＜実施の形態１＞
本発明の実施の形態１について、図面を用いて以下に説明する。図１は、実施の形態１に係るフロント筐体固定構造の分解斜視図であり、図２は、固定部材２の斜視図であり、図３（ａ）は、フロント筐体１の係合片１ｄに対する固定部材２の取り付け方法において取り付け前の状態を示す説明図であり、図３（ｂ）は、フロント筐体１の係合片１ｄに対する固定部材２の取り付け方法において取り付け後の状態を示す説明図であり、図４は、バックカバー３が取り外された状態でのフロント筐体固定構造の斜視図であり、図５は、フロント筐体固定構造において固定部材２の長穴２ｅと係合片１ｄの穴１ｅとを通る断面図であり、図６は、フロント筐体固定構造の斜視図である。
【００１２】
図１、図３〜図６に示すように、フロント筐体固定構造は、例えば液晶表示装置に採用され、フロント筐体１と、液晶パネル４と、バックカバー３と、固定部材２とを備えている。フロント筐体１は、開口１ａを有する枠状に形成され、開口１ａの周囲にある開口縁部１ｂで液晶パネル４の周縁部（液晶パネル４の表示面の周縁部）を覆っている。フロント筐体１の外周部（開口縁部１ｂの外周側）には周壁１ｃが形成され、周壁１ｃのバックカバー３側の端部には、固定部材２に係合される係合片１ｄ（被係合部）が、予め定められた間隔をあけて複数形成されている。
【００１３】
より具体的には、係合片１ｄは、周壁１ｃのバックカバー３側の端部の内面側にバックカバー３側に延びるように形成され、係合片１ｄの厚みの分だけ周壁１ｃから開口１ａ側へ突出した態様となっている。係合片１ｄの中央部には、矩形状の穴１ｅが形成されている。フロント筐体１に液晶パネル４を配置した状態で、開口縁部１ｂにおいて液晶パネル４と周壁１ｃとの間に全周に渡ってガイド部１ｆが形成され、ガイド部１ｆに固定部材２が取り付けられている。なお、ガイド部１ｆは、開口縁部１ｂにおける液晶パネル４と周壁１ｃとの間において、係合片１ｄの周辺領域にのみ形成されていてもよい。
【００１４】
次に、固定部材２について説明する。図２〜図６に示すように、固定部材２は、例えば金属板を用いて形成され、第１板片部２ａと、第２板片部２ｂと、一対の位置決め受け部２ｃと、係合部２ｄとを備えている。第１板片部２ａは平板状に形成され、第２板片部２ｂは、第１板片部２ａの一端部から屈曲する態様でフロント筐体１の周壁１ｃの基端側に延びるように形成されている。
【００１５】
第２板片部２ｂにおいて基端から先端までの長さは、液晶パネル４の厚みと略同じ長さに形成され、第２板片部２ｂを用いて液晶パネル４の側面を保持することが可能となっている。第１板片部２ａにおいて基端から先端までの長さは、第２板片部２ｂにおいて基端から先端までの長さよりも長くなるように形成され、第１板片部２ａを用いて液晶パネル４の背面側を挟み込むことが可能となっている。
【００１６】
図２と図５に示すように、第２板片部２ｂの先端部は、第２板片部２ｂにおいて先端部を除く部分よりも板厚が厚くなるように形成されている。より具体的には、第２板片部２ｂの先端部は、ガイド部１ｆの幅よりも薄い板厚であり、かつ、液晶パネル４と係合片１ｄとの隙間よりも厚い板厚に形成されている。このため、第２板片部２ｂの先端部はガイド部１ｆに挿入され、固定部材２は、第２板片部２ｂの先端部を介してガイド部１ｆに沿ってスライドすることが可能である。また、第２板片部２ｂの先端部は、液晶パネル４と係合片１ｄとの隙間を介してバックカバー３側へ通過できないようになっているため、固定部材２の脱落を防止できる。
【００１７】
図２と図４に示すように、第２板片部２ｂにおける先端部と基端部との間に、ガイド部１ｆの延在方向（換言すると固定部材２のスライド方向）と平行に開口する係合部２ｄが形成され、係合部２ｄは、固定部材２をスライドさせて係合片１ｄとスムーズに係合可能に、係合片１ｄの外形よりも大きな寸法に形成されている。第１板片部２ａにおいて第２板片部２ｂが形成された側と反対側の端部には、バックカバー３側に突出する一対の位置決め受け部２ｃがそれぞれ対向する位置に形成されている。また、第１板片部２ａには、液晶パネル４に形成されたネジ穴４ａに対応する位置に長穴２ｅが形成されている。
【００１８】
バックカバー３は、液晶パネル４を覆った状態でフロント筐体１の背面側に取り付けられている。図６に示すように、バックカバー３には、バックカバー３の取り付け時に用いられる当接部３ａおよび一対の位置決めリブ３ｂが、液晶パネル４側に突出するように設けられている。バックカバー３の取り付け時に、バックカバー３の当接部３ａが固定部材２の第１板片部２ａに当接し、液晶パネル４とバックカバー３とで固定部材２を挟み込むことで、固定部材２を介してフロント筐体１は液晶パネル４側に引き寄せられる構造となる。これにより、フロント筐体１の反り、バックカバー３に対するフロント筐体１の浮きおよびフロント筐体１とバックカバー３とのギャップなどを抑制することができ、製品の意匠性を高めることが可能となる。
【００１９】
また、バックカバー３の取り付け時に、バックカバー３の一対の位置決めリブ３ｂの端部が固定部材２の一対の位置決め受け部２ｃの内面に当接することで、バックカバー３が位置決めされる。これにより、バックカバー３をフロント筐体１に対して正確な位置に取り付けることができるため、バックカバー３の脱落を防止できる。なお、位置決めリブ３ｂに当接部３ａの機能を持たせることも可能である。この場合、例えば、位置決め用リブ３ｂと当接部３ａとを一体的に形成することで実現できる。
【００２０】
次に、固定部材２の取り付け方法および取り外し方法について説明する。固定部材２をフロント筐体１に取り付ける場合、図３（ａ）に示すように、固定部材２を、フロント筐体１のガイド部１ｆにおいて係合片１ｄの周辺に配置する。次に、フロント筐体１の開口縁部１ｂに液晶パネル４を配置した後、図３（ｂ）に示すように、固定部材２をガイド部１ｆに沿ってスライドさせて係合片１ｄと固定部材２の係合部２ｄとを係合させる。図４と図５に示すように、係合片１ｄと係合部２ｄとが係合した状態では、フロント筐体１と固定部材２とで液晶パネル４が挟み込まれて固定される。このとき、固定部材２の第２板片部２ｂの先端部は、液晶パネル４と係合片１ｄとの隙間を介して液晶パネル４の背面側へ通過することができないため、固定部材２は脱落しない。
【００２１】
それから、上記において説明した方法でバックカバー３を取り付ける。このとき、係合片１ｄの中央部に形成された穴１ｅに、バックカバー３の外端部が外側から挿入される。
【００２２】
一方、フロント筐体１から固定部材２を取り外す場合、バックカバー３を取り外した後、固定部材２をガイド部１ｆに沿って係合片１ｄから離れる方向にスライドさせることで係合片１ｄと固定部材２の係合部２ｄとの係合が解除される。これにより、フロント筐体１とで挟み込んで固定されていた液晶パネル４を取り外すことが可能となり、また、固定部材２を取り外すことが可能となる。
【００２３】
以上のように、実施の形態１に係るフロント筐体固定構造では、固定部材２の係合部２ｄとフロント筐体１の係合片１ｄが係合した状態で、固定部材２とフロント筐体１とで液晶パネル４を挟み込んで固定するため、固定部材２を介してフロント筐体１は液晶パネル４側に引き寄せられる。このため、フロント筐体１の反り、バックカバー３に対するフロント筐体１の浮きおよびフロント筐体１とバックカバー３とのギャップなどを抑制することができ、製品の意匠性を高めることが可能となる。また、固定部材２とフロント筐体１とで液晶パネル４を挟み込むことで、従来の固定構造よりも少ない固定箇所で強固に固定できるため、組立作業性および修理作業性を高めることが可能となる。
【００２４】
フロント筐体１は、開口１ａを有する枠状に形成され、かつ、外周部から開口１ａ側へ突出する係合片１ｄと、開口１ａの周囲にある開口縁部１ｂにおいて少なくとも係合片１ｄの周辺領域に形成されたガイド部１ｆとを備え、固定部材２は、フロント筐体１のガイド部１ｆに沿ってスライド可能に構成され、固定部材２の係合部２ｄは、固定部材２のスライド方向と平行に開口され、かつ、係合片１ｄと係合可能に形成された。
【００２５】
したがって、固定部材２の係合部２ｄとフロント筐体１の係合片１ｄとの係合と、これらの係合解除について、固定部材２をガイド部１ｆに沿ってスライドさせることで簡単に行うことができ、組立作業性および修理作業性をさらに高めることが可能となる。
【００２６】
なお、図７に示すように、ネジ６を用いて液晶パネル４とバックカバー３とを固定してもよい。図７は、実施の形態１の変形例に係るフロント筐体固定構造の断面図である。バックカバー３を取り付ける際に、液晶パネル４とバックカバー３とで固定部材２を挟み込んだ後、バックカバー３に形成されたネジ穴３ｃと固定部材２の長穴２ｅとを介してネジ６をネジ穴４ａに締結してバックカバー３を液晶パネル４に固定することで、固定部材２を介してフロント筐体１は液晶パネル４側にさらに引き寄せられる構造となる。
【００２７】
＜実施の形態２＞
次に、実施の形態２に係るフロント筐体固定構造について説明する。図８は、実施の形態２に係るフロント筐体固定構造の固定部材の斜視図であり、図９は、固定部材１２の断面図であり、図１０（ａ）は、フロント筐体１の係合片１ｄに対する固定部材１２の取り付け方法において取り付け前の状態を示す説明図であり、図１０（ｂ）は、フロント筐体１の係合片１ｄに対する固定部材１２の取り付け方法において取り付け後の状態を示す説明図であり、図１１は、フロント筐体固定構造において固定部材１２の長穴１２ｇと係合片１ｄの穴１ｅとを通る断面図である。なお、実施の形態２において、実施の形態１で説明したものと同一の構成要素については同一符号を付して説明は省略する。
【００２８】
図８〜図１１に示すように、実施の形態２に係るフロント筐体固定構造は、フロント筐体１と、液晶パネル４と、バックカバー３と、固定部材１２とを備えている。固定部材１２は、実施の形態１で説明した固定部材２とは形状が異なっている。固定部材１２は、例えば金属板を用いて形成され、第１板片部１２ａと、第２板片部１２ｂと、一対の位置決め受け部１２ｃと、係合穴１２ｄと、係合保持部１２ｅとを備えている。第１板片部１２ａは平板状に形成され、第２板片部１２ｂは第１板片部１２ａの一端部から屈曲する態様でフロント筐体１の周壁１ｃの基端側に延びるように形成されている。
【００２９】
第２板片部２ｂにおいて基端から先端までの長さは、液晶パネル４の厚みと略同じ長さに形成され、第２板片部１２ｂを用いて液晶パネル４の側面を保持することが可能となっている。第１板片部１２ａにおいて基端から先端までの長さは、第２板片部１２ｂにおいて基端から先端までの長さよりも長くなるように形成され、第１板片部１２ａを用いて液晶パネル４の背面側を挟み込むことが可能となっている。
【００３０】
第２板片部１２ｂの中央部には、フロント筐体１の係合片１ｄと係合可能な係合穴１２ｄが形成されている。係合穴１２ｄは、係合片１ｄとスムーズに係合可能に、係合片１ｄの外形よりも大きな寸法に形成されている。固定部材１２は、実施の形態１の固定部材２のように、スライド方向と平行に開口されておらず片持ち形状ではないため、固定部材２よりも強度の高い部材である。第１板片部１２ａにおいて第２板片部１２ｂが形成された側と反対側の端部にはバックカバー３側に突出する一対の位置決め受け部１２ｃがそれぞれ対向する位置に形成されている。また、第１板片部１２ａには、液晶パネル４に形成されたネジ穴４ａに対応する位置に長穴１２ｇが形成されている。
【００３１】
係合穴１２ｄの周縁部において係合片１ｄの基端側、すなわち、第２板片部２ｂの先端部には、係合保持部１２ｅが弾性変形可能に形成されている。係合保持部１２ｅは、第２板片部１２ｂにおいて係合保持部１２ｅ以外の部分と同じ板厚に形成されている。また、係合保持部１２ｅは、第２板片部１２ｂの先端から、第２板片部１２ｂの基端側へ行く程周壁１ｃ側に傾斜する傾斜面１２ｆ（変形促進部）を介して、係合穴１２ｄの周縁部において第２板片部１２ｂの先端側までがフロント筐体１の周壁１ｃ側に突出した形状に形成されている。
【００３２】
ここで、実施の形態２では、係合保持部１２ｅを液晶パネル４側から挿入することで、固定部材１２の係合部とフロント筐体１の係合片１ｄが係合され、固定部材１２をガイド部１ｆに沿ってスライドさせて固定部材１２の係合部とフロント筐体１の係合片１ｄとの係合が解除される。傾斜面１２ｆは、係合保持部１２ｅの突出方向（弾性変形方向）とは反対方向への変形を促進することで、係合保持部１２ｅを液晶パネル４側から挿入する際のガイド機能を果たす。
【００３３】
次に、固定部材１２の取り付け方法および取り外し方法について説明する。固定部材１２をフロント筐体１に取り付ける場合、図１０（ａ）に示すように、フロント筐体１の開口縁部１ｂに液晶パネル４を配置した後、固定部材１２を液晶パネル４側からフロント筐体１に取り付ける。具体的に説明すると、フロント筐体１の周壁１ｃの内部において係合片１ｄの周辺領域に、周壁１ｃの延在方向に対して垂直に延びるガイド部１ｇが形成されている。第２板片部１２ｂをガイド部１ｇに位置決めした状態で、係合保持部１２ｅはガイド部１ｇに沿って液晶パネル４側から挿入されるが、係合保持部１２ｅの傾斜面１２ｆが液晶パネル４と係合片１ｄとの隙間を通過する際に、傾斜面１２ｆが係合片１ｄの内面と当接することで、係合保持部１２ｅの液晶パネル４側への変形が促進され、係合保持部１２ｅがガイド部１ｆに挿入される。
【００３４】
図１０（ｂ）と図１１に示すように、係合保持部１２ｅがガイド部１ｆに挿入された状態で、係合保持部１２ｅは、弾性復元することでフロント筐体１の周壁１ｃ側へ突出し周壁１ｃと当接する。これにより、係合片１ｄと係合穴１２ｄが係合されるとともに、この係合状態が保持される。係合片１ｄと係合穴１２ｄとが係合した状態では、フロント筐体１と固定部材１２とで液晶パネル４が挟み込まれて固定される。このとき、固定部材１２の係合保持部１２ｅは、弾性復元することでフロント筐体１の周壁１ｃ側へ突出している。より具体的には、固定部材１２の係合保持部１２ｃは、フロント筐体１の周壁１ｃと接触し、または周壁１ｃに対し微小の隙間をあけた位置に位置するため、液晶パネル４と係合片１ｄとの隙間を介して液晶パネル４の背面側へ通過することができず、固定部材１２は脱落しない。
【００３５】
それから、実施の形態１において説明した方法でバックカバー３を取り付ける。このとき、係合片１ｄの中央部に形成された穴１ｅに、バックカバー３の外端部が外側から挿入される。
【００３６】
一方、フロント筐体１から固定部材１２を取り外す場合について説明する。固定部材１２は、ガイド部１ｆに沿ってスライド可能に構成されている。すなわち、係合保持部１２ｅが周壁１ｃと接触している場合にも、係合保持部１２ｅの弾性復元力に基づく周壁１ｃに対する押圧力に抗して、固定部材１２は、ガイド部１ｆに沿ってスライドすることが可能に構成されている。
【００３７】
このため、バックカバー３を取り外した後、固定部材１２をガイド部１ｆに沿って係合片１ｄから離れる方向にスライドさせることで、係合片１ｄと固定部材１２の係合部との係合が解除される。これにより、フロント筐体１とで挟み込んで固定されていた液晶パネル４を取り外すことが可能となり、また、固定部材１２を取り外すことが可能となる。なお、係合穴１２ｄおよび係合保持部１２ｅが係合部に相当する。
【００３８】
以上のように、実施の形態２に係るフロント筐体固定構造では、フロント筐体１は、開口１ａを有する枠状に形成され、かつ、外周部から開口１ａ側へ突出する係合片１ｄを備え、固定部材１２は、フロント筐体１の開口１ａの周囲にある開口縁部１ｂに配置可能に構成され、固定部材１２の係合部は、係合片１ｄと係合可能な係合穴１２ｄと、係合穴１２ｄの周縁部において係合片１ｄの基端側に設けられ、かつ、弾性変形可能に形成された係合保持部１２ｅとを備え、固定部材１２がフロント筐体１の開口縁部１ｂに配置された状態で、係合保持部１２ｅの弾性復元力を用いて係合片１ｄと係合穴１２ｄとの係合状態が保持された。
【００３９】
したがって、係合保持部１２ｅの弾性変形を利用して係合保持部１２ｅを液晶パネル４と係合片１ｄとの隙間を通過させてガイド部１ｆに挿入することで、固定部材１２の係合部とフロント筐体１の係合片１ｄとの係合を簡単に行うことができ、組立作業性および修理作業性をさらに高めることが可能となる。
【００４０】
また、係合保持部１２ｅは、係合保持部１２ｅの弾性変形方向とは反対方向への変形を促進する変形促進部である傾斜面１２ｆを備えたため、係合保持部１２ｅの液晶パネル４側への変形が促進され、係合保持部１２ｅを簡単にガイド部１ｆに挿入することができ、組立作業性および修理作業性をさらに高めることが可能となる。
【００４１】
また、フロント筐体１は、開口縁部１ｂにおいて少なくとも係合片１ｄの周辺領域に形成されたガイド部１ｆを備え、固定部材１２は、係合保持部１２ｅの弾性復元力に抗してフロント筐体１のガイド部１ｆに沿ってスライド可能に構成されたため、固定部材１２をガイド部１ｆに沿ってスライドさせることで、固定部材１２の係合部とフロント筐体１の係合片１ｄとの係合を簡単に解除することができ、組立作業性および修理作業性をさらに高めることが可能となる。
【００４２】
なお、実施の形態１において説明した図７の場合と同様に、ネジを用いて液晶パネル４とバックカバー３とを固定してもよい。バックカバー３を取り付ける際に、液晶パネル４とバックカバー３とで固定部材１２を挟み込んだ後、バックカバー３に形成されたネジ穴３ｃと固定部材１２の長穴１２ｇとを介してネジをネジ穴４ａに締結してバックカバー３を液晶パネル４に固定することで、固定部材１２を介してフロント筐体１は液晶パネル４側にさらに引き寄せられる構造となる。
【００４３】
なお、本発明は、その発明の範囲内において、各実施の形態を自由に組み合わせたり、各実施の形態を適宜、変形、省略することが可能である。
【符号の説明】
【００４４】
１  フロント筐体、１ａ  開口、１ｂ  開口縁部、１ｄ  係合片、１ｆ  ガイド部、２  固定部材、２ｄ  係合部、３  バックカバー、４  液晶パネル、６  ネジ、１２  固定部材、１２ｄ  係合穴、１２ｅ  係合保持部、１２ｆ  傾斜面。
【図１】
2014228672.tif 000003
【図２】
2014228672.tif 000004
【図３】
2014228672.tif 000005
【図４】
2014228672.tif 000006
【図５】
2014228672.tif 000007
【図６】
2014228672.tif 000008
【図７】
2014228672.tif 000009
【図８】
2014228672.tif 000010
【図９】
2014228672.tif 000011
【図１０】
2014228672.tif 000012
【図１１】
2014228672.tif 000013